(57)【要約】【課題】光の照射先が回転変位可能であり、且つ小型化された電飾装置および当該電飾装置を備えた遊技機を提供する。【解決手段】パチンコ機に設けられる電飾装置１００は、電飾装置基板２０と被覆部材４０とを備える。電飾装置基板２０の装置前方側の前面２０Ａには、仮想線Ｘを中心に８つの第一発光体１０が放射状に配置される。被覆部材４０は、装置前方側から８つの第一発光体１０を覆う。被覆部材４０は、内側部材８５と外側部材５０とを備える。内側部材８５には、仮想線Ｘを中心に円弧状に配置される８つの案内部６８が設けられる。８つの案内部６８は、各々対応する第一発光体１０が発する光を、仮想線Ｘから離間する方向へ向けて案内する。外側部材５０は、案内部６８によって案内される光を、装置前方に反射する。【選択図】図２
2015029826.tif 000002
【特許請求の範囲】
【請求項１】
基板の前面に、所定位置を中心に放射状に複数配置され、前記基板の前方へ向けて発光自在な複数の第一発光体と、
前記複数の第一発光体を前方から覆う非透光性の被覆部材と
を備え、
前記被覆部材は、
前記複数の第一発光体と対向する位置に配置され、各々対向する前記第一発光体が発する光が進入する開口である複数の進入口と、
前記複数の進入口と連通する通路であって、各々連通する前記進入口に進入した前記光を、前記所定位置を通過し前記前面と直交して延びる仮想線から離れる方向である離間方向に案内する複数の案内路と、
前記複数の案内路における前記離間方向の端部に設けられ、各々対応する前記案内路によって案内された前記光を、前記離間方向に放出する開口である複数の放出口と、
前記仮想線を中心として前記複数の放出口を囲むように配置された板状の外側部材と、
前記外側部材の前面に設けられ、前記複数の放出口と前記離間方向から対向し、且つ前記仮想線から離間するのに伴って前記基板から離間するように傾斜する面であって、前記複数の放出口から放出される前記光を前方へ反射する反射面と
を備えたことを特徴とする電飾装置。
【請求項２】
前記複数の案内路は、各々連通する前記進入口に進入した前記光が照射可能な面である照射面を備え、
前記照射面は、前方に向かって前記離間方向に湾曲し、照射される前記光を前記離間方向に反射する湾曲面であることを特徴とする請求項１に記載の電飾装置。
【請求項３】
前記仮想線から離間する方向に放射状に延び、且つ前記反射面が反射する前記光が透過する複数の切込部を有し、前記被覆部材を前方から覆う透過部材をさらに備えたことを特徴とする請求項１または２に記載の電飾装置。
【請求項４】
前記基板の前記前面において前記複数の第一発光体よりも前記所定位置から離間した位置に配置され、且つ前記所定位置を中心に放射状に複数配置され、前方へ向けて発光自在な複数の第二発光体をさらに備え、
前記複数の第一発光体と前記複数の第二発光体とは、前記仮想線回りに交互に配置され、
前記外側部材は、前記複数の第二発光体と対向する位置に配置され、各々対向する前記第二発光体が発する光を通過させる複数の第一通過口を備えたことを特徴とする請求項１から３の何れかに記載の電飾装置。
【請求項５】
前記複数の第一発光体は、前記仮想線回りに交互に複数配置され、互いに発光色が異なる複数の第三発光体および複数の第四発光体からなることを特徴とする請求項１から４の何れかに記載の電飾装置。
【請求項６】
前記所定位置に配置され、前方へ向けて発光自在な第五発光体をさらに備え、
前記被覆部材は、前記仮想線が通過する部分に前記第五発光体が発する光を通過させる第二通過口を備えたことを特徴とする請求項１から５の何れかに記載の電飾装置。
【請求項７】
前記透過部材は、前記仮想線が通過する部分に、前記第二通過口を通過する前記光を拡散させる拡散部を備えたことを特徴とする請求項６に記載の電飾装置。
【請求項８】
請求項１から７の何れかに記載の電飾装置を備えたことを特徴とする遊技機。
【発明の詳細な説明】
【技術分野】
【０００１】
本発明は、電飾装置および当該電飾装置を備えた遊技機に関する。
【背景技術】
【０００２】
従来、発光体が発光する光の照射先を、発光体を中心に回転させて変位させる電飾装置が知られている。例えば、特許文献１に開示のスロットマシンが備える回転灯は、回路基板と、回路基板の上面に設置される発光体と、上下方向を中心に発光体の回りを旋回自在な回転鏡と、円筒状のレンズカバーと、駆動モータとを備える。レンズカバーは、上方から回路基板、発光体、および回転鏡を覆う。駆動モータは回路基板に対して下側に設けられ、回転鏡の支持軸と連結されている。駆動モータが駆動することで、発光体の回りを旋回する回転鏡は、発光体が発する光を反射し、レンズカバーへ照射する。
【先行技術文献】
【特許文献】
【０００３】
【特許文献１】特開２００８−２２０６７６号公報
【発明の概要】
【発明が解決しようとする課題】
【０００４】
しかしながら、上記回転灯では、回転鏡を回転させるためのモータを備える必要があるため、大型化してしまうという問題点があった。
【０００５】
本発明の目的は、光の照射先が回転変位可能であり、且つ小型化された電飾装置および当該電飾装置を備えた遊技機を提供することである。
【課題を解決するための手段】
【０００６】
本発明の第一態様に係る電飾装置は、基板の前面に、所定位置を中心に放射状に複数配置され、前記基板の前方へ向けて発光自在な複数の第一発光体と、前記複数の第一発光体を前方から覆う非透光性の被覆部材とを備え、前記被覆部材は、前記複数の第一発光体と対向する位置に配置され、各々対向する前記第一発光体が発する光が進入する開口である複数の進入口と、前記複数の進入口と連通する通路であって、各々連通する前記進入口に進入した前記光を、前記所定位置を通過し前記前面と直交して延びる仮想線から離れる方向である離間方向に案内する複数の案内路と、前記複数の案内路における前記離間方向の端部に設けられ、各々対応する前記案内路によって案内された前記光を、前記離間方向に放出する開口である複数の放出口と、前記仮想線を中心として前記複数の放出口を囲むように配置された板状の外側部材と、前記外側部材の前面に設けられ、前記複数の放出口と前記離間方向から対向し、且つ前記仮想線から離間するのに伴って前記基板から離間するように傾斜する面であって、前記複数の放出口から放出される前記光を前方へ反射する反射面とを備えたことを特徴とする。
【０００７】
上記構成によれば、複数の第一発光体が発する光は、各々、複数の進入口から進入して複数の案内路を通過した後、複数の放出口から、離間方向へ放出される。複数の放出口から放出される光は、反射面のうち各放出口と離間方向から対向する部分を照射する。電飾装置は、複数の第一発光体が仮想線回りに順に発光することで、第一発光体が反射面を照射する領域（以下、照射領域という）を回転変位させることができる。また、電飾装置は、照射領域を回転変位させる場合に、モータ等の駆動源を要することがないので、小型化できる。よって、電飾装置は、光の照射先を回転変位可能であり、且つ小型化できる
【０００８】
上記電飾装置において、前記複数の案内路は、各々連通する前記進入口に進入した前記光が照射可能な面である照射面を備え、前記照射面は、前方に向かって前記離間方向に湾曲し、照射される前記光を前記離間方向に反射する湾曲面であってもよい。複数の進入口に進入する光は、仮想線に近接する方向に進みながら前方に向かう場合であっても、各々対応する照射面によって、離間方向へ反射される。よって、電飾装置は光を更に反射面に照射し易くできる。
【０００９】
上記電飾装置は、前記仮想線から離間する方向に放射状に延び、且つ前記反射面が反射する前記光が透過する複数の切込部を有し、前記被覆部材を前方から覆う透過部材をさらに備えてもよい。反射面によって前方に反射される光が、複数の切込み部を透過する。これにより、透過部材は、光が照射される切込み部に沿って発光してみえる。よって、電飾装置は、発光する光を更に放射状に明瞭にみせることができる。
【００１０】
上記電飾装置は、前記基板の前記前面において前記複数の第一発光体よりも前記所定位置から離間した位置に配置され、且つ前記所定位置を中心に放射状に複数配置され、前方へ向けて発光自在な複数の第二発光体をさらに備え、前記複数の第一発光体と前記複数の第二発光体とは、前記仮想線回りに交互に配置され、前記外側部材は、前記複数の第二発光体と対向する位置に配置され、各々対向する前記第二発光体が発する光を通過させる複数の第一通過口を備えてもよい。電飾装置は、複数の第一発光体に加えて複数の第二発光体を備えることで、発光の態様を多様化できる。また、複数の第一発光体と複数の第二発光体が、仮想線回りに交互に配置されることで、複数の放出口から放出される光と、第一通過口を通過する光とは互いに干渉しにくい。よって、電飾装置は、第一発光体と第二発光体が異なる色を同時に発する場合であっても、それぞれの色を明瞭に分けることができる。
【００１１】
上記電飾装置において、前記複数の第一発光体は、前記仮想線回りに交互に複数配置され、互いに発光色が異なる複数の第三発光体および複数の第四発光体からなってもよい。第一発光体が異なる色を発光できるので、電飾装置は、発光の態様を更に多様化できる。
【００１２】
上記電飾装置は、前記所定位置に配置され、前方へ向けて発光自在な第五発光体をさらに備え、前記被覆部材は、前記仮想線が通過する部分に前記第五発光体が発する光を通過させる第二通過口を備えてもよい。所定位置から第五発光体が前方に発する光は、第二通過口を通過して透過部材を透過する。これにより、透過部材のうち仮想線が通過する部分も発光してみえる。よって、電飾装置は、発光の態様をさらに多様化できる。
【００１３】
上記電飾装置において、前記透過部材は、前記仮想線が通過する部分に、前記第二通過口を通過する前記光を拡散させる拡散部を備えてもよい。第二通過口から透過部材に照射される光は、拡散部にて拡散される。従って、電飾装置は、第五発光体が発する光をさらに明瞭にできる。
【００１４】
本発明の第二態様に係る遊技機は上記電飾装置を備える。この場合、上記作用効果を奏する遊技機を提供できる。
【図面の簡単な説明】
【００１５】
【図１】パチンコ機１の正面図である。
【図２】電飾装置１００の分解斜視図である。
【図３】電飾装置基板２０の一部を装置前方からみた図である。
【図４】被覆部材４０の斜視図である。
【図５】電飾装置基板２０及び被覆部材４０を装置前方からみた図である。
【図６】図５におけるＩ−Ｉ線の矢視方向断面図である。
【図７】図５におけるＩＩ−ＩＩ線の矢視方向断面図である。
【図８】第一発光体１０が順に点灯する場合の透過部９５を装置前方からみた図である。
【図９】第二発光体１２が順に点灯する場合の透過部９５を装置前方からみた図である。
【図１０】第二発光体１２および第三発光体１３が順に点灯する場合の透過部９５を装置前方からみた図である。
【図１１】第五発光体１５が点滅する場合の透過部９５を装置前方からみた図である。
【図１２】第二発光体１２、第四発光体１４、および第五発光体１５が点滅する場合の透過部９５を装置前方からみた図である。
【発明を実施するための形態】
【００１６】
本発明に係る遊技機の一実施形態であるパチンコ機１について、図面を参照して説明する。以下の説明では、図１の手前側、奥側、上側、下側、左側、右側を、それぞれ、パチンコ機１の前側（正面側）、後側（背面側）、上側、下側、左側、右側とする。
【００１７】
図１を参照して、パチンコ機１の概略構成を説明する。パチンコ機１には、遊技盤２が設けられている。遊技盤２は、正面視略正方形の板状であり、透明なガラス板を保持した前面枠２７によって前面を保護されている。遊技盤２の下部には上皿５が設けられている。上皿５は、発射機（図示外）に遊技球（図示外）を供給し、且つ賞品球を受ける。上皿５の上部中央には、遊技者によって操作される操作ボタン９が設けられている。上皿５の直下には、賞品球を受ける下皿８が設けられている。下皿８の右横には、遊技球の発射を調整する発射ハンドル１１が設けられている。前面枠２７の上部の左右の角には、スピーカ４８がそれぞれ設けられている。
【００１８】
遊技盤２の前面には、ガイドレール３で囲まれた略円形の遊技領域４が形成されている。発射機によって発射された遊技球は、遊技領域４内を流下する。遊技領域４の略中央には、正面視略矩形の表示開口７が設けられる。表示開口７では、ＬＣＤ（液晶ディスプレイ）等で構成される画像表示装置（図示外）の表示面（図示外）が後方から露出可能である。画像表示装置は、遊技者が大量の賞球を獲得可能な大当たり遊技を生起するか否かの大当たり判定の結果を報知するためのデモ図柄を表示する。パチンコ機１は、複数（本実施形態では３つ）のデモ図柄を変動させた後に、大当たり判定の結果を示すデモ図柄の組合せを確定表示させる報知演出を実行することで、大当たり判定の結果を遊技者に報知する。
【００１９】
表示開口７の直下（遊技領域４の下側）には、電飾装置１００が設けられる。電飾装置１００は、遊技領域４内での遊技状態の変化等に応じた視覚的な演出を行う。より詳細には、電飾装置１００は、画像表示装置（図示外）およびスピーカ４８等と連動して、遊技内容の進行に応じた種々の光を遊技者に向けて発する。電飾装置１００は、単独で動作してもよい。電飾装置１００の構成は後述する。
【００２０】
表示開口７の右方には普通図柄始動ゲート２２が設けられる。透過部９５の下方には、始動口２３、大入賞口２４およびアタッカー２５が上方から下方に向かって順に並んで設けられる。アタッカー２５の下方であって遊技領域４の中央下端部には、アウト口２６が設けられる。
【００２１】
パチンコ機１は、主基板（図示外）、サブ基板（図示外）、および電飾装置基板２０（図２参照）等を備える。主基板はサブ基板と電気的に接続し、電飾装置基板２０はサブ基板と電気的に接続する。主基板、サブ基板、および電飾装置基板２０には、それぞれ、ＣＰＵ、ＲＯＭ、およびＲＡＭ等が設けられる。主基板は、遊技球が入球する始動口２３、大入賞口２４、およびアタッカー２５の入球口に応じて、遊技者に所定数の遊技球を賞球として付与する。サブ基板は、主基板から送信されるコマンドに従って、演出等の総合的な制御を行う。電飾装置基板２０は、サブ基板のコマンドに従って、電飾装置１００に種々の光を発光させる。
【００２２】
図１〜図７を参照し、電飾装置１００の詳細構造を説明する。図１に示すように、電飾装置１００は、上端部が下端部よりも後方に位置するように僅かに傾いている。これにより、電飾装置１００が備える各種部材も全て同様に傾いている。電飾装置１００は、遊技者が光を視認し易いように、前方斜め上方に向けて光を照射する。以下、電飾装置１００が光を照射する方向を装置前方といい、装置前方と反対の方向を装置後方という。
【００２３】
図２に示すように、電飾装置１００は、電飾装置基板２０と、装飾部材３０と、被覆部材４０と、透過部材９０とを備える。電飾装置基板２０は左右方向に長い略矩形であり、電飾装置１００の装置後方側に設けられる。以下、電飾装置基板２０の装置前方側の面である前面２０Ａと直交して延びる仮想線を仮想線Ｘといい、仮想線Ｘと前面２０Ａとが交わる位置を位置Ｐ（図３参照）という。
【００２４】
図３に示すように、前面２０Ａには、８つの第一発光体１０と、８つの第二発光体１２と、第五発光体１５とが設けられる。第一発光体１０、第二発光体１２、および第五発光体１５は、電飾装置基板２０のＣＰＵ（図示外）のコマンドに応じて、装置前方に向けて発光自在な発光ダイオードである。
【００２５】
８つの第一発光体１０は、位置Ｐを中心に放射状且つ等間隔に配置される。位置Ｐに対して対称な位置にある一対の第一発光体１０は、全部で４組ある。８つの第一発光体１０は、４つの第三発光体１３と、４つの第四発光体１４とからなる。４つの第三発光体１３および４つの第四発光体１４は、仮想線Ｘ（図２参照）回りに（位置Ｐを中心とした円周方向に沿って）交互に配置される。第三発光体１３は一対の赤色発光ダイオードであり、第四発光体１４は白色発光ダイオードである。
【００２６】
８つの第二発光体１２は、位置Ｐを基準に第一発光体１０よりも外側で、位置Ｐを中心に放射状且つ等間隔に配置される。つまり、第二発光体１２は、第一発光体１０よりも位置Ｐから離間した位置に配置される。第二発光体１２は、フルカラー発光ダイオードである。位置Ｐに対して対称な位置にある一対の第二発光体１２は、全部で４組ある。８つの第二発光体１２と８つの第一発光体１０とは、前面２０Ａ上で、仮想線Ｘ回りに交互に配置される。言い換えると、位置Ｐからみた８つの第二発光体１２は、それぞれ、位置Ｐを中心とする円周方向に沿って互いに隣接する第三発光体１３および第四発光体１４の各間に配置される。
【００２７】
第五発光体１５は、白色発光ダイオードであり、位置Ｐに配置される。
【００２８】
図２に示すように、装飾部材３０は、左右方向に長い板状の部材であり、電飾装置基板２０を装置前方から覆う。装飾部材３０は、開口３０Ａと、３つのネジ孔３０Ｂとを有する。開口３０Ａは、装飾部材３０の中央部で仮想線Ｘを中心に円形状に形成される開口であり、８つの第一発光体１０、８つの第二発光体１２、および第五発光体１５の装置前方に位置する。３つのネジ孔３０Ｂは、開口３０Ａの周縁部に沿って等間隔に設けられる。
【００２９】
被覆部材４０は、開口３０Ａに嵌め込まれ、装置前方から８つの第一発光体１０、８つの第二発光体１２、および第五発光体１５を覆う非透光性の部材である。被覆部材４０の材質は、例えば、ＡＢＳ樹脂等の樹脂材料である。その他、被覆部材は、金属材料等であってもよい。被覆部材４０は、外側部材５０と、内側部材８５とを備える。外側部材５０は、仮想線Ｘを中心として中空円板状に形成され、中空部を有する。外側部材５０は中心側に向かうにつれて装置後方に凹む。内側部材８５は、外側部材５０の中空部から装置前方に向かって立設する部材である。
【００３０】
図４に示すように、外側部材５０は、反射面５５と、８つの通過口５６と、３つのネジ孔５７とを有する。反射面５５は、外側部材５０の装置前方側の面である前面に設けられる。反射面５５は、仮想線Ｘに近接する方向に向かって装置後方に傾斜する面である。言い換えると、反射面５５は、仮想線Ｘから離間するのに伴って、電飾装置基板２０から離間するように傾斜する面である（図２参照）。
【００３１】
さらに、外側部材５０は、反射面５５を４つに区画する段部５１〜５４が形成される。段部５１〜５４は、装置前方からみて仮想線Ｘを中心に環状をなす。段部５１〜５４のうち、段部５１が最も仮想線Ｘ側に配置され、段部５２〜５４の順に仮想線Ｘから離間する位置に配置される。段部５１〜５４を境に隣接する反射面５５同士のうち、仮想線Ｘから離間する反射面５５は、仮想線Ｘに近接する反射面５５よりも、装置前方側に位置する。段部５１〜５４は、仮想線Ｘに近接する方向に向かって装置後方に反射面５５よりも傾斜する面を有する。これにより、外側部材５０の前面には、４つの反射面５５に加えて、段部５１〜５４の傾斜面が設けられる。
【００３２】
図５に示すように、８つの通過口５６は外側部材５０を装置前後方向に貫通する開口であり、仮想線Ｘを中心に放射状且つ等間隔に設けられる。８つの通過口５６は、外側部材５０の径方向を長手方向とする略矩形をなし、８つの第二発光体１２と装置前方から対向している。
【００３３】
３つのネジ孔５７は、外側部材５０の外周縁部に沿って、仮想線Ｘを中心に等間隔に配置される。３つのネジ孔５７は、装飾部材３０の３つのネジ孔３０Ｂ（図２参照）と装置前方から対向する。対向するネジ孔５７，３０Ｂにネジ（図示外）を挿通することにより、被覆部材４０は装飾部材３０に固定される。
【００３４】
図４に示すように、内側部材８５は、８つの案内部６８（図４では３つを図示）と、通過部８０とを備える。８つの案内部６８は、仮想線Ｘ回りに等間隔に配置される。８つの案内部６８は、それぞれ、進入口６２と、案内路６１と、放出口６３とを備える。進入口６２は、外側部材５０の径方向を長手方向とする略矩形の開口である。８つの進入口６２は、８つの第一発光体１０と装置前方から対向する（図６参照）。
【００３５】
案内路６１は、進入口６２と連通する光の通路である。案内路６１は、一対の第一側壁６１Ａと、第二側壁６１Ｂと、前壁６１Ｃとからなる。一対の第一側壁６１Ａは、案内路６１のうち、仮想線Ｘ（図２参照）を中心とする円周方向の両端側の壁部を形成する。第二側壁６１Ｂは、案内路６１のうち仮想線Ｘ側の壁部を形成し、前壁６１Ｃは装置前方側の壁部を形成する。
【００３６】
仮想線Ｘ回りに互いに隣接する２つの案内路６１は、１つの第一側壁６１Ａを互いに共有する。この結果、内側部材８５が備える第一側壁６１Ａは計８つである。内側部材８５が備える第一側壁６１Ａの個数は抑制されるので、被覆部材４０は小型化される。よって、電飾装置１００（図１参照）は省スペース化される。
【００３７】
図６に示すように、案内路６１には、各々対応する第二側壁６１Ｂと前壁６１Ｃとの接続部のうち、案内路６１側に照射面６１Ｄが形成されている。照射面６１Ｄは、装置前方側に向かうにつれて、各々対応する進入口６２に対して仮想線Ｘと反対側であって、仮想線Ｘから離間する方向（以下、離間方向という）へ湾曲している。照射面６１Ｄは、各々対応する進入口６２から進入する光が照射可能な面である。
【００３８】
図４に示すように、放出口６３は、案内路６１の離間方向の端部に設けられる開口である。放出口６３は、装置前後方向を長手方向とする略矩形である。放出口６３の装置後方側の端部と、進入口６２の離間方向側の端部とは、兼用されている。これにより、各案内路６１の進入口６２から放出口６３までの距離が抑制される。従って、電飾装置１００（図１参照）は省スペース化される。
【００３９】
８つの放出口６３は、外側部材５０によって仮想線Ｘを中心として囲まれている。装置前方からみた場合、８つの放出口６３と８つの通過口５６とは、仮想線Ｘ回りに交互に配置されている。段部５１〜５４および反射面５５は、離間方向から８つの放出口と対向する。従って、外側部材５０のうち、段部５１〜５４および反射面５５が形成される部分であって、８つの放出口６３と離間方向側から対向する部分（以下、「対向部」という）は、８つある。対向部と、通過口５６とは、仮想線Ｘ回りに交互に配置されている。
【００４０】
通過部８０は、内側部材８５の中央部に設けられる。通過部８０は、仮想線Ｘを軸線とする円筒状をなし、装置前後方向の両端は開口している。通過部８０の装置前方側においては、装置前方に向かうにつれて内径が拡径されている。通過部８０の筒孔８０Ａの装置後方側は、第五発光体１５と装置前方から対向している（図７参照）。
【００４１】
通過部８０は、８つの案内路６１が有する８つの第二側壁６１Ｂおよび８つの前壁６１Ｃが、仮想線Ｘ回りに接続することで形成される。つまり、８つの第二側壁６１Ｂおよび８つの前壁６１Ｃは、案内路６１を形成すると同時に、通過部８０を形成する。８つの案内路６１および通過部８０を形成する壁部が兼用されているので、内側部材８５は小型化され、電飾装置１００（図１参照）は省スペース化される。
【００４２】
図２に示すように、透過部材９０は、仮想線Ｘを軸線とした有底円筒状をなす非透光性の部材である。透過部材９０は、装置後方側が開口している。透過部材９０の材質は、例えば、ポリカーボネート樹脂等の透光性を有する樹脂材料である。透過部材９０は、装置前方から被覆部材４０を覆う。
【００４３】
透過部材９０の装置前方側の端部をなす透過部９５は、装置前方側に向かう凸状であって、仮想線Ｘを中心とする緩やかな放物面状をなす。透過部９５は、拡散部９６と、複数の切込部９７とを備える。拡散部９６は、仮想線Ｘが通過する透過部９５の中心部であって、装置前方側の面を凹凸状にすることで形成される。拡散部９６は、通過部８０と装置前方側から対向する。
【００４４】
複数の切込部９７は、仮想線Ｘに対して拡散部９６の外側であって、透過部材９０の装置後方側の面に設けられる。複数の切込部９７は、仮想線Ｘから離間する方向に向かって放射状且つ円弧状に延びるスリットである。
【００４５】
図６から図１２を参照し、電飾装置１００の動作について説明する。以下、第一発光体１０が発光する場合、第二発光体１２が発光する場合、第二発光体１２および第三発光体１３が発光する場合、第五発光体１５が発光する場合、並びに第二発光体１２、第四発光体１４、および第五発光体１５が発光する場合について説明する。
【００４６】
図６および図８を参照し、第一発光体１０が発光する場合を説明する。まず、８つの第一発光体１０のうち、位置Ｐを挟んで互いに対称の位置にある一対の第三発光体１３が発光する場合について説明する。尚、図６では、一対の第三発光体１３を、それぞれ、第三発光体１３Ａと第三発光体１３Ｂとで図示している。第三発光体１３Ａにおいては仮想線Ｘから離間する方の赤色発光ダイオードが発する主な光を矢印で示し、第三発光体１３Ｂにおいては仮想線Ｘに近接する方の赤色発光ダイオードが発する主な光を矢印で示す。
【００４７】
図６に示すように、第三発光体１３が発する光は、装置前方にある案内部６８の進入口６２から案内路６１に進入する。案内路６１は、進入口６２から進入してきた光を、放出口６３が配置される離間方向に向けて案内する。例えば、第二側壁６１Ｂを照射する光（矢印Ａ）は、照射面６１Ｄに向けて反射された後、照射面６１Ｄにて放出口６３に向けて反射される。尚、第二側壁６１Ｂからそのまま放出口６３にむけて反射される光（図示外）もある。また、照射面６１Ｄを照射する光（矢印Ｂ）および前壁６１Ｃを照射する光（矢印Ｃ）は、そのまま放出口６３に向けて反射される。また、第一側壁６１Ａに照射される光（図示外）も、放出口６３に向けて反射される。
【００４８】
ここで、照射面６１Ｄが装置前方に向かって離間方向に湾曲している。従って、照射面６１Ｄを照射する光は、仮想線Ｘに近接する方向に進む場合であっても、放出口６３に向けて反射される。
【００４９】
放出口６３から離間方向へ放出される光は、対応する対向部を照射する。放出口６３から放出される光が対向部を照射する領域（以下、照射領域という）は、離間方向へ延びる。対向部に照射される光は、反射面５５によって装置前方に反射され（矢印Ａ、Ｂ）、または段部５１〜５４によって装置前方に反射される（矢印Ｃ）。これにより、放出口６３と離間方向から対向する対向部は、照射される光を漏れなく装置前方に反射する。対向部から反射される光は、装置前方からみて仮想線Ｘを中心に放射状になる状態で装置前方へ進む。
【００５０】
ここで、外側部材５０の前面には、４つの反射面５５に加えて、段部５１〜５４の傾斜面が設けられる。従って、放出口６３から放出される光を反射するために外側部材５０が備える面の数は増大する。これにより、外側部材５０は、放出口６３から放出される光をより装置前方に反射し易くできる。
【００５１】
外側部材５０によって反射される光は、透過部９５（図８参照）を透過する。このとき、透過部９５を透過する光は、照射された対向部と装置前方から対向する複数の切込部９７を照射する。これにより、図８（ａ）に示すように、装置前方からみた透過部９５は、照射される切込部９７に沿って、仮想線Ｘを中心に放射状且つ赤色に発光してみえる。
【００５２】
第四発光体１４が発光する場合も第三発光体１３と同様である。すなわち、第四発光体１４が発する光は、案内部６８（図６参照）によって外側部材５０(図６参照)に案内された後、外側部材５０によって透過部９５に向けて反射される。装置前方からみた透過部９５は、照射される切込部９７に沿って、仮想線Ｘを中心とする放射状且つ白色に発光してみえる（図８（ｃ）、（ｄ））。
【００５３】
図８（ａ）〜（ｄ）では、位置Ｐに対して対称な位置にある一対の第三発光体１３および一対の第四発光体１４が、装置前方からみて、時計回りに順に点滅する場合の透過部９５を示す。この場合、外側部材５０（図４参照）の照射領域は、点灯する一対の第三発光体１３および一対の第四発光体１４に応じて、仮想線Ｘを中心に回転変位する。従って、装置前方からみた透過部９５においては、仮想線Ｘを中心に放射状となる光が、赤色と白色に交互に回転変位してみえる。
【００５４】
図７および図９を参照し、第二発光体１２が、緑色に発光する場合を説明する。図７に示すように、第二発光体１２が発する光（矢印Ｄ）は、装置前方へと向かい、通過口５６を通過する。通過口５６を通過した光は、透過部９５（図２参照）を透過する。このとき、透過部９５を透過する光は、通過された通過口５６と装置前方から対向する複数の切込部９７（図２参照）を照射する。これにより、図９（ａ）に示すように、装置前方からみた透過部９５は、照射される切込部９７に沿って、仮想線Ｘを中心とする放射状且つ緑色に発光してみえる。
【００５５】
図９（ａ）〜（ｄ）では、位置Ｐに対して対称な位置にある一対の第二発光体１２が、装置前方からみて、時計回りに順に点滅する場合の透過部９５を示す。この場合、照射される透過部９５の領域は、点灯する一対の第二発光体１２に応じて、仮想線Ｘを中心に回転変位する。従って、装置前方からみた透過部９５においては、仮想線Ｘを中心とする放射状且つ緑色の光が、回転変位してみえる。
【００５６】
次に、図１０を参照し、第二発光体１２および第三発光体１３が発光する場合を説明する。ここでは、第三発光体１３と、当該第三発光体１３と装置前方からみて仮想線Ｘを中心に反時計回り方向側に隣接する第二発光体１２とが一対になって、順に発光する場合を説明する。第二発光体１２の発する光は白色とし、一対になる第二発光体１２と第三発光体１３を以下、一対の発光体という。
【００５７】
一対の発光体をなす第二発光体１２が発する光が通過する通過口５６（図６参照）と、第三発光体１３が発する光が照射する対向部は、仮想線Ｘ回（図６参照）りに互いに隣接する。よって、第二発光体１２を光源とする光が透過部９５を透過する領域と、第三発光体１３を光源とする光が透過部９５を透過する領域とは、仮想線Ｘ回りに互いに隣接する。この結果、装置前方から透過部９５をみた場合、仮想線Ｘを中心に放射状となる光が、仮想線Ｘ回りに赤色と白色に区分されてみえる。
【００５８】
図１０（ａ）〜（ｄ）に示すように、一対の発光体が、装置前方からみて、時計回り方向に順に点滅することで、装置前方からみた透過部９５は、仮想線Ｘを中心に放射状且つ赤色と白色に区分された光が回転変位してみえる。
【００５９】
ここで、上述したように、対向部と通過口５６とは仮想線Ｘ回りに交互に配置される（図４参照）。従って、一対の発光体が発光する場合であっても、通過口５６を通過する光（白色）と対向部で反射される光（赤色）とは、互いに干渉しにくい。よって、照射される切込部９７には、白色と赤色の光が明瞭に分かれてみえる。
【００６０】
なお、第三発光体１３の代わりに第四発光体１４が、第二発光体１２と一対になって、仮想線Ｘ回りに順に発光することも可能である。ここでは詳細を省略する。
【００６１】
図７および図１１を参照し、第五発光体１５が発光する場合を説明する。図７に示すように、第五発光体１５が発光する光（矢印Ｅ）は、装置前方へと向かい、筒孔８０Ａ（図６参照）内を通過する。図１１（ｂ）に示すように、筒孔８０Ａを通過した光は、筒孔８０Ａと装置前方から対向する拡散部９６を透過する。拡散部９６は凹凸状になっているので、透過する光は乱反射し拡散される。これにより、筒孔８０Ａを通過する光は、通過部８０を透過する領域は拡大される。従って、装置前方からみた場合、拡散部９６は白色に発光してみえる。図１１（ａ）、（ｂ）に示すように、第五発光体１５が点滅を繰り返すことで、透過部９５の拡散部９６は白色に点滅してみえる。
【００６２】
図１２を参照し、８つの第二発光体１２、４つの第四発光体１４、および第五発光体１５が全て白色に発光する場合について説明する。第四発光体１４が発した光は、対向部にて反射された後、複数の切込部９７を照射する。また、第四発光体１４が発した光は、通過口５６（図７参照）から複数の切込部９７を照射する。さらに、第五発光体１５が発した光は、拡散部９６を照射する。これにより、図１２（ｂ）に示すように、装置前方からみた透過部９５は、全体が白色に発光してみえる。図１２（ａ）、（ｂ）に示すように、第四発光体１４、第二発光体１２、および第五発光体１５が点滅を繰り返すことで、透過部９５全体が白色に点滅してみえる。
【００６３】
以上、説明したように、８つの第一発光体１０が発する光は、各々対応する放出口６３から外側部材５０の対向部を照射する。８つの第一発光体１０が仮想線Ｘ回りに順に点滅することで、仮想線Ｘを中心に放射状になる対向部の照射領域は仮想線Ｘを中心に回転変位する。従って、電飾装置１００は、照射領域を仮想線Ｘを中心に回転変位させることができる。また、電飾装置１００は、照射領域を回転変位させる場合に、モータ等の回転駆動源を要することがない。従って、電飾装置１００は、回転駆動源、および回転駆動源の駆動力を伝達するためのギア等を設置するためのスペースを要しないので、小型化できる。よって、電飾装置１００は、光の照射先を回転変位可能であって、且つ小型化できる。
【００６４】
また、電飾装置１００は、回転駆動源等を要しないことから、電飾装置１００の機構を簡易化できると同時に、コストの低減化を図ることができる。
【００６５】
また、複数の進入口６２に進入する光が、仮想線Ｘに近接する方向に進みながら装置前方に向かう場合であっても、照射面６１Ｄによって離間方向に反射される。よって、電飾装置１００は、第一発光体１０が発する光を、反射面５５に照射し易くできる。
【００６６】
また、被覆部材４０の装置前方に設けた透過部９５には、仮想線Ｘから離間する方向に放射状に延びる複数の切込部９７が設けられる。第一発光体１０または第二発光体１２が発した光が透過部９５を透過すると、透過部９５は、切込部９７に沿って発光してみえる。よって、電飾装置１００は、第一発光体１０および第二発光体１２が発する光を、放射状且つ明瞭に見せることができる。
【００６７】
また、電飾装置１００は、第一発光体１０に加えて第二発光体１２を備えているので、発光の態様を多様化できる。さらに、第一発光体１０と第二発光体１２とが仮想線Ｘ回りに交互に配置されており、対向部と通過口５６とは仮想線Ｘ回り交互に配置される。これにより、第一発光体１０と第二発光体１２とが、同時に異なる色を発光する場合であっても、放出口６３から放出される光と、通過口５６を通過する光とは、互いに干渉しにくい。従って、電飾装置１００は、第一発光体１０と第二発光体１２とが互いに異なる色を同時に発する場合であっても、それぞれの色を明瞭に分けることができる。
【００６８】
また、８つの第一発光体１０は、互いに発光色が異なる４つの第三発光体１３と４つの第四発光体１４とからなる。これにより、電飾装置１００は発光の態様をさらに多様化できる。
【００６９】
また、電飾装置１００は、位置Ｐに設けられる第五発光体１５が発する光を、筒孔８０Ａを通過させて透過部９５に透過させる。これにより、透過部９５のうち、仮想線Ｘが通過する部分が発光してみえる。よって、電飾装置１００は、発光の態様をさらに多様化できる。
【００７０】
さらに、透過部９５は拡散部９６を備える。これにより、第五発光体１５が発する光であって、透過部９５を透過する光は、拡散部９６にて拡散される。従って、電飾装置１００は、第五発光体１５が発する光をさらに明瞭にできる。
【００７１】
なお、上記実施形態において、パチンコ機１が本発明の「遊技機」に相当し、電飾装置基板２０が本発明の「基板」に相当し、位置Ｐが本発明の「所定位置」に相当し、通過口５６が本発明の「第一通過口」に相当し、筒孔８０Ａが本発明の「第二通過口」に相当する。
【００７２】
本発明は、上記実施形態に限定されるものではなく、本発明の要旨を逸脱しない範囲内での変更が可能である。上記実施形態では、第一発光体１０は、第三発光体１３および第四発光体１４のみからなるがこれに限られない。例えば、第一発光体１０は、第三発光体１３および第四発光体１４と発光色が異なる発光体をさらに備えてもよい。また、第一発光体１０が、すべて同じ発光色の発光ダイオードからなっていてもよい。
【００７３】
また、第一発光体１０、第二発光体１２、第三発光体１３、第四発光体１４、および第五発光体１５は、上記実施形態で示した色とは異なる色の光を、発光してもよい。上記実施形態で示した色以外に、赤色、青色、緑色、およびこれらの色を配色することで得られる色のいずれかの色の光を発光できればよい。
【００７４】
上記実施形態では、電飾装置１００は、第一発光体１０に加え、第二発光体１２および第五発光体１５を備えているが、これに限られない。例えば、電飾装置１００は、第一発光体１０および第二発光体１２のみを備えてもよいし、第一発光体１０および第五発光体１５のみを備えてもよい。さらに電飾装置１００は、第一発光体１０のみを備えていてもよい。
【００７５】
上記実施形態では、離間方向は、各進入口６２に対して仮想線Ｘと反対側であって、且つ仮想線Ｘから離間する方向であるが、これに限られない。離間方向は、各進入口６２から進入した光が、仮想線Ｘから離間する方向へ進む方向であれば、どのような方向であってもよい。上記実施形態に示した各案内部６８の形状を変更することで、離間方向は適宜変更可能である、
【００７６】
上記実施形態では、電飾装置１００は遊技領域４の下側に設けられるがこれに限られない。パチンコ機１の前方に向けて発光できるのであれば、電飾装置１００は、遊技領域４のいずれに設けられてもよいし、前面枠２７等の遊技領域４の外側にある部材に設けられてもよい。
【００７７】
また、上記実施形態では、電飾装置１００は、遊技領域４内の遊技状態の変化があった場合に発光するが、これに限られない。例えば、電飾装置１００は、遊技者がホールスタッフを呼ぶ場合に発光してもよいし、遊技者による不正行為があった場合にホールスタッフに報知するために発光してもよい。
【００７８】
また、電飾装置１００、電飾装置基板２０、被覆部材４０、および透過部材９０等の各装置・各部材は、単一であっても複数であってもよく、適宜配置の変更が行われてもよい。
【００７９】
また、上記例示した各要素に限らず、請求項、明細書および図面に記載される全ての要素は、個数を意識的に限定する明確な記載がない限り、単一であっても複数であってもよく、適宜配置の変更が行われてもよい。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。更には、請求項、明細書および図面に記載される要素を各々別体で構成するか、適宜一体的に構成するか、或いはひとつの要素を複数の要素に分けて構成するかは、当業者であれば何れも容易に考えられる事項である。従って、その範囲内での構成上の差異を有する遊技機を、実施例に記載がされていないからといって採用することのみでは、本発明に係る権利を回避したことにはならない。その他、各要素の構成や形状等における、本実施例から当業者であれば容易に考えられる自明な範囲の差異についても同様である。
【符号の説明】
【００８０】
１      パチンコ機
１０    第一発光体
１２    第二発光体
１３    第三発光体
１４    第四発光体
１５    第五発光体
２０    電飾装置基板
２０Ａ  前面
４０    被覆部材
５０    外側部材
５５    反射面
５６    通過口
６１    案内路
６１Ｄ  照射面
６２    進入口
６３    放出口
８０Ａ  筒孔
９０    透過部材
９６    拡散部
９７    切込部
１００  電飾装置
Ｐ      位置
Ｘ      仮想線
【図１】
2015029826.tif 000003
【図２】
2015029826.tif 000004
【図３】
2015029826.tif 000005
【図４】
2015029826.tif 000006
【図５】
2015029826.tif 000007
【図６】
2015029826.tif 000008
【図７】
2015029826.tif 000009
【図８】
2015029826.tif 000010
【図９】
2015029826.tif 000011
【図１０】
2015029826.tif 000012
【図１１】
2015029826.tif 000013
【図１２】
2015029826.tif 000014